(57)【要約】【課題】非直交マルチアクセスで、ユーザ装置が干渉抑圧合成を実行しかつ複数の非直交信号を含む無線信号を適切に処理できるようにする。【解決手段】ユーザ装置は、基地局から、複数の非直交信号が混合された無線信号を受信する。ユーザ装置は、基地局から送信された情報に基づいて、ユーザ装置の位置に関連するパラメータを認識する。ユーザ装置が基地局のセルエリア端にある場合に、ユーザ装置の復調部は、ユーザ装置の干渉抑圧合成処理部によって干渉信号成分が抑圧された無線信号を、ユーザ装置宛の信号として復調し、ユーザ装置の非直交信号キャンセル部は動作しない。ユーザ装置がセルエリア内にあるがセルエリア端にない場合に、復調部がユーザ装置宛の信号を復調するまで、干渉抑圧合成処理部は、非直交信号キャンセル部から出力された非直交信号の中の干渉信号成分を抑圧し、復調部は、干渉信号成分が抑圧された非直交信号を復調する。【選択図】図７
2015039132.tif 000002
【特許請求の範囲】
【請求項１】
複数の基地局と複数のユーザ装置とを備え、
前記基地局の各々は、
その基地局に接続された複数のユーザ装置の位置に関連するパラメータに応じて、これらのユーザ装置の各々に対する下りリンク送信に使用する下りリンク送信電力を決定する下りリンク送信電力決定部と、
その基地局に接続された複数のユーザ装置をそれぞれ宛先とする互いに直交しない複数の非直交信号が混合された無線信号を、前記下りリンク送信電力決定部で決定された前記下りリンク送信電力で前記非直交信号が送信されるように、送信する無線信号送信部と、
その基地局に接続された複数のユーザ装置の各々に、そのユーザ装置の位置およびそのユーザ装置についての下りリンク送信電力の少なくともいずれかに関連する情報を通知する情報通知部と
を備え、
前記ユーザ装置の各々は、
そのユーザ装置が接続された所望基地局から互いに直交しない複数の非直交信号が含まれた無線信号を受信する無線信号受信部と、
前記無線信号受信部が受信した前記無線信号の中の非直交信号の中の、そのユーザ装置が接続されていない干渉基地局から受信された干渉信号成分を抑圧する干渉抑圧合成処理部と、
前記干渉抑圧合成処理部によって前記干渉信号成分が抑圧された前記非直交信号を復調する復調部と、
前記所望基地局から送信された前記情報に基づいて、そのユーザ装置の位置に関連するパラメータを認識する位置認識部と、
そのユーザ装置が前記所望基地局のセルエリア内にあるが最もセルエリア境界に近い位置にないと前記位置認識部が認識する場合に、前記復調部で復調された非直交信号を前記無線信号からキャンセルする非直交信号キャンセル部と
を備え、
そのユーザ装置が前記所望基地局のセルエリア内の最もセルエリア境界に近い位置にあると前記位置認識部が認識する場合に、前記復調部は、前記干渉抑圧合成処理部によって前記干渉信号成分が抑圧された前記無線信号を、そのユーザ装置を宛先とする信号として復調し、前記非直交信号キャンセル部は動作せず、
そのユーザ装置が前記所望基地局のセルエリア内にあるが最もセルエリア境界に近い位置にないと前記位置認識部が認識する場合に、前記復調部がそのユーザ装置を宛先とする信号を復調するまで、前記干渉抑圧合成処理部は、前記非直交信号キャンセル部から出力された非直交信号の中の干渉信号成分を抑圧し、前記復調部は、前記干渉抑圧合成処理部によって前記干渉信号成分が抑圧された前記非直交信号を復調する
ことを特徴とする無線通信システム。
【請求項２】
前記基地局の各々の前記情報通知部は、前記ユーザ装置の各々に、そのユーザ装置についての下りリンク送信電力に関する情報を通知し、
前記ユーザ装置の各々は、前記情報に基づいて、そのユーザ装置についての下りリンク送信電力を認識する電力認識部をさらに備え、
前記ユーザ装置の各々の前記位置認識部は、前記情報に基づいて、そのユーザ装置の位置に関連するパラメータを認識し、
前記ユーザ装置の各々の前記干渉抑圧合成処理部は、前記電力認識部で認識された前記下りリンク送信電力に基づいて、前記干渉信号成分を抑圧し、
前記ユーザ装置の各々の前記復調部は、前記電力認識部で認識された前記下りリンク送信電力に基づいて、そのユーザ装置を宛先とする信号を復調する
ことを特徴とする請求項１に記載の無線通信システム。
【請求項３】
前記基地局の各々の前記情報通知部は、前記ユーザ装置の各々に、前記情報として、そのユーザ装置についての下りリンク信号の変調・符号化方式を示す情報を通知し、前記変調・符号化方式を示す前記情報には、そのユーザ装置の位置およびそのユーザ装置についての下りリンク送信電力が関連付けられている
ことを特徴とする請求項２に記載の無線通信システム。
【請求項４】
前記ユーザ装置の各々の前記干渉抑圧合成処理部は、干渉信号成分を復調することにより干渉レプリカを生成し、前記干渉レプリカを前記無線信号から減算する逐次干渉キャンセラであって、
前記基地局の各々は、その基地局の近隣の他の基地局での下りリンク送信に使用する下りリンク送信電力に関する他基地局電力情報を、その基地局に接続された複数のユーザ装置に通知する他基地局電力情報通知部を備え、
前記干渉抑圧合成処理部は、前記他基地局電力情報に基づいて、前記干渉レプリカを生成する
ことを特徴とする請求項１から請求項３のいずれか１項に記載の無線通信システム。
【請求項５】
所望基地局と通信するユーザ装置であって、
所望基地局から、前記所望基地局に接続された複数のユーザ装置をそれぞれ宛先とする互いに直交しない複数の非直交信号が混合され、これらのユーザ装置の位置に関連するパラメータに応じて前記非直交信号が異なる電力を有する、無線信号を受信する無線信号受信部と、
前記無線信号受信部が受信した前記無線信号の中の非直交信号の中の、そのユーザ装置が接続されていない干渉基地局から受信された干渉信号成分を抑圧する干渉抑圧合成処理部と、
前記干渉抑圧合成処理部によって前記干渉信号成分が抑圧された前記非直交信号を復調する復調部と、
前記所望基地局から送信された、そのユーザ装置の位置およびそのユーザ装置についての下りリンク送信電力の少なくともいずれかに関連する情報に基づいて、そのユーザ装置の位置に関連するパラメータを認識する位置認識部と、
そのユーザ装置が前記所望基地局のセルエリア内にあるが最もセルエリア境界に近い位置にないと前記位置認識部が認識する場合に、前記復調部で復調された非直交信号を前記無線信号からキャンセルする非直交信号キャンセル部と
を備え、
そのユーザ装置が前記所望基地局のセルエリア内の最もセルエリア境界に近い位置にあると前記位置認識部が認識する場合に、前記復調部は、前記干渉抑圧合成処理部によって前記干渉信号成分が抑圧された前記無線信号を、そのユーザ装置を宛先とする信号として復調し、前記非直交信号キャンセル部は動作せず、
そのユーザ装置が前記所望基地局のセルエリア内にあるが最もセルエリア境界に近い位置にないと前記位置認識部が認識する場合に、前記復調部がそのユーザ装置を宛先とする信号を復調するまで、前記干渉抑圧合成処理部は、前記非直交信号キャンセル部から出力された非直交信号の中の干渉信号成分を抑圧し、前記復調部は、前記干渉抑圧合成処理部によって前記干渉信号成分が抑圧された前記非直交信号を復調する
ことを特徴とするユーザ装置。
【請求項６】
前記所望基地局から送信された、そのユーザ装置についての下りリンク送信電力に関する情報に基づいて、そのユーザ装置についての下りリンク送信電力を認識する電力認識部をさらに備え、
前記位置認識部は、前記情報に基づいて、そのユーザ装置の位置に関連するパラメータを認識し、
前記干渉抑圧合成処理部は、前記電力認識部で認識された前記下りリンク送信電力に基づいて、前記干渉信号成分を抑圧し、
前記復調部は、前記電力認識部で認識された前記下りリンク送信電力に基づいて、そのユーザ装置を宛先とする信号を復調する
ことを特徴とする請求項５に記載のユーザ装置。
【請求項７】
前記所望基地局から、前記情報として、そのユーザ装置についての下りリンク信号の変調・符号化方式を示す情報を受信し、前記変調・符号化方式を示す前記情報には、そのユーザ装置の位置およびそのユーザ装置についての下りリンク送信電力が関連付けられている
ことを特徴とする請求項６に記載のユーザ装置。
【請求項８】
前記干渉抑圧合成処理部は、干渉信号成分を復調することにより干渉レプリカを生成し、前記干渉レプリカを前記無線信号から減算する逐次干渉キャンセラであって、
前記所望基地局から送信された、前記所望基地局の近隣の他の基地局での下りリンク送信に使用する下りリンク送信電力に関する他基地局電力情報に基づいて、前記干渉抑圧合成処理部は、前記干渉レプリカを生成する
ことを特徴とする請求項５から請求項７のいずれか１項に記載のユーザ装置。
【発明の詳細な説明】
【技術分野】
【０００１】
本発明は、無線通信システムおよびユーザ装置に関する。
【背景技術】
【０００２】
移動通信ネットワークにおいて、基地局とユーザ装置（例えば移動局）の間の通信には、複数の信号が互いに干渉しない直交マルチアクセス（orthogonal multiple access）が広く用いられている。直交マルチアクセスでは、異なるユーザ装置に異なる無線リソースが割り当てられる。直交マルチアクセスの例としては、ＣＤＭＡ（符号分割多元接続）、ＴＤＭＡ（時間分割多元接続）、ＯＦＤＭＡ（直交周波数分割多元接続）がある。例えば、3GPPにおいて標準化されたLong Term Evolution（LTE）では、下りリンクの通信にＯＦＤＭＡが使用されている。ＯＦＤＭＡにおいては異なるユーザ装置に異なる周波数が割り当てられる。
【０００３】
近年、基地局とユーザ装置の間の通信方式として、非直交マルチアクセス（NOMA、non-orthogonal multiple access）が提案されている（例えば、特許文献１参照）。非直交マルチアクセスにおいては、異なるユーザ装置に同一の無線リソースが割り当てられる。より具体的には、同時に単一の周波数が異なるユーザ装置に割り当てられる。下りリンク通信に非直交マルチアクセスを適用する場合、パスロス（path loss）が大きい、あるいは受信SINR（signal-to interference plus noise power ratio）が小さいユーザ装置（一般にセルエリア端にあるユーザ装置）に対して基地局は大送信電力で信号を送信し、パスロスが小さい、あるいは受信SINRが大きいユーザ装置（一般にセルエリア中央にあるユーザ装置）に対して基地局は小送信電力で信号を送信する。したがって、各ユーザ装置にとっての受信信号は、他のユーザ装置宛の信号により干渉されている。
【０００４】
この場合、各ユーザ装置は、電力差を利用してそのユーザ装置宛の信号を復調する。具体的には、各ユーザ装置は最も高い受信電力の信号をまず復調する。その復調された信号は最もセルエリア端にある、あるいは最も受信SINRの低いユーザ装置宛の信号であるから、最もセルエリア端にある、あるいは最も受信SINRの低いユーザ装置は復調を終了する。他の各ユーザ装置は、受信信号からその復調された信号に相当する干渉成分を干渉キャンセラにより除去し、２番目に高い受信電力の信号を復調する。その復調された信号は２番目にセルエリア端にある、あるいは2番目に受信SINRの低いユーザ装置宛の信号であるから、２番目にセルエリア端にある、あるいは2番目に受信SINRの低いユーザ装置は復調を終了する。このように高い電力の信号の復調と除去を繰り返すことにより、すべてのユーザ装置はそのユーザ装置宛の信号を復調することができる。
【０００５】
非直交マルチアクセスを直交マルチアクセスに組み合わせることにより、直交マルチアクセス単独の使用に比べて移動通信ネットワークのキャパシティを増大させることができる。つまり、直交マルチアクセス単独の使用では、ある無線リソース（例えば周波数）を同時に複数のユーザ装置に割り当てることはできないが、非直交マルチアクセスと直交マルチアクセスの組合せでは、ある無線リソースを同時に複数のユーザ装置に割り当てることができる。
【０００６】
他方、LTE Advancedでは、干渉抑圧合成(Interference Rejection Combining)と呼ばれる移動通信端末の受信技術が検討されている（例えば、特許文献２参照）。干渉抑圧合成（ＩＲＣ）は、下りリンク通信に関して、在圏基地局（所望基地局）からの所望電波ビームに対する干渉基地局からの干渉電波ビームの干渉を、ユーザ装置において抑圧するように、ユーザ装置において各受信アンテナで得られる信号に重み付けを与える技術である。ＩＲＣは、特に、ユーザ装置が在圏セルエリア（所望基地局のセルエリア）の境界付近に所在して、所望基地局の隣の他の基地局（干渉基地局）から干渉電波ビームを強く受ける場合に、所望電波ビームに載せられた所望信号の受信品質を向上させる。
【先行技術文献】
【特許文献】
【０００７】
【特許文献１】特開2013-009291号公報
【特許文献２】特開2012-231218号公報
【発明の概要】
【発明が解決しようとする課題】
【０００８】
発明者は、下りリンク通信に非直交マルチアクセスを適用する通信システムにおいて、ユーザ装置が干渉抑圧合成を実行することが可能であると考える。しかしながら、ユーザ装置が干渉抑圧合成を実行しかつ複数の非直交信号を含む無線信号を適切に処理することができる非直交マルチアクセスを適用する無線通信システムは提案されていない。
【０００９】
そこで、本発明は、ユーザ装置が干渉抑圧合成を実行しかつ複数の非直交信号を含む無線信号を適切に処理することができる非直交マルチアクセスを適用する無線通信システムおよびユーザ装置を提供する。
【課題を解決するための手段】
【００１０】
本発明に係る無線通信システムは、複数の基地局と複数のユーザ装置とを備え、前記基地局の各々は、その基地局に接続された複数のユーザ装置の位置に関連するパラメータに応じて、これらのユーザ装置の各々に対する下りリンク送信に使用する下りリンク送信電力を決定する下りリンク送信電力決定部と、その基地局に接続された複数のユーザ装置をそれぞれ宛先とする互いに直交しない複数の非直交信号が混合された無線信号を、前記下りリンク送信電力決定部で決定された前記下りリンク送信電力で前記非直交信号が送信されるように、送信する無線信号送信部と、その基地局に接続された複数のユーザ装置の各々に、そのユーザ装置の位置およびそのユーザ装置についての下りリンク送信電力の少なくともいずれかに関連する情報を通知する情報通知部とを備え、前記ユーザ装置の各々は、そのユーザ装置が接続された所望基地局から互いに直交しない複数の非直交信号が含まれた無線信号を受信する無線信号受信部と、前記無線信号受信部が受信した前記無線信号の中の非直交信号の中の、そのユーザ装置が接続されていない干渉基地局から受信された干渉信号成分を抑圧する干渉抑圧合成処理部と、前記干渉抑圧合成処理部によって前記干渉信号成分が抑圧された前記非直交信号を復調する復調部と、前記所望基地局から送信された前記情報に基づいて、そのユーザ装置の位置に関連するパラメータを認識する位置認識部と、そのユーザ装置が前記所望基地局のセルエリア内にあるが最もセルエリア境界に近い位置にないと前記位置認識部が認識する場合に、前記復調部で復調された非直交信号を前記無線信号からキャンセルする非直交信号キャンセル部とを備え、そのユーザ装置が前記所望基地局のセルエリア内の最もセルエリア境界に近い位置にあると前記位置認識部が認識する場合に、前記復調部は、前記干渉抑圧合成処理部によって前記干渉信号成分が抑圧された前記無線信号を、そのユーザ装置を宛先とする信号として復調し、前記非直交信号キャンセル部は動作せず、そのユーザ装置が前記所望基地局のセルエリア内にあるが最もセルエリア境界に近い位置にないと前記位置認識部が認識する場合に、前記復調部がそのユーザ装置を宛先とする信号を復調するまで、前記干渉抑圧合成処理部は、前記非直交信号キャンセル部から出力された非直交信号の中の干渉信号成分を抑圧し、前記復調部は、前記干渉抑圧合成処理部によって前記干渉信号成分が抑圧された前記非直交信号を復調する。
【００１１】
本発明に係るユーザ装置は、所望基地局と通信するユーザ装置であって、所望基地局から、前記所望基地局に接続された複数のユーザ装置をそれぞれ宛先とする互いに直交しない複数の非直交信号が混合され、これらのユーザ装置の位置に関連するパラメータに応じて前記非直交信号が異なる電力を有する、無線信号を受信する無線信号受信部と、前記無線信号受信部が受信した前記無線信号の中の非直交信号の中の、そのユーザ装置が接続されていない干渉基地局から受信された干渉信号成分を抑圧する干渉抑圧合成処理部と、前記干渉抑圧合成処理部によって前記干渉信号成分が抑圧された前記非直交信号を復調する復調部と、前記所望基地局から送信された、そのユーザ装置の位置およびそのユーザ装置についての下りリンク送信電力の少なくともいずれかに関連する情報に基づいて、そのユーザ装置の位置に関連するパラメータを認識する位置認識部と、そのユーザ装置が前記所望基地局のセルエリア内にあるが最もセルエリア境界に近い位置にないと前記位置認識部が認識する場合に、前記復調部で復調された非直交信号を前記無線信号からキャンセルする非直交信号キャンセル部とを備え、そのユーザ装置が前記所望基地局のセルエリア内の最もセルエリア境界に近い位置にあると前記位置認識部が認識する場合に、前記復調部は、前記干渉抑圧合成処理部によって前記干渉信号成分が抑圧された前記無線信号を、そのユーザ装置を宛先とする信号として復調し、前記非直交信号キャンセル部は動作せず、そのユーザ装置が前記所望基地局のセルエリア内にあるが最もセルエリア境界に近い位置にないと前記位置認識部が認識する場合に、前記復調部がそのユーザ装置を宛先とする信号を復調するまで、前記干渉抑圧合成処理部は、前記非直交信号キャンセル部から出力された非直交信号の中の干渉信号成分を抑圧し、前記復調部は、前記干渉抑圧合成処理部によって前記干渉信号成分が抑圧された前記非直交信号を復調する。
【発明の効果】
【００１２】
本発明においては、ユーザ装置は、所望基地局から送信された、そのユーザ装置の位置およびそのユーザ装置についての下りリンク送信電力の少なくともいずれかに関連する情報に基づいて、そのユーザ装置の位置に関連するパラメータを認識する。そのユーザ装置が所望基地局のセルエリア内の最もセルエリア境界に近い位置にあると位置認識部が認識する場合に、復調部は、干渉抑圧合成処理部によって干渉信号成分が抑圧された無線信号を、そのユーザ装置を宛先とする信号として復調し、非直交信号キャンセル部は動作しない。つまり、この場合に、ユーザ装置は、干渉抑圧合成を実行するが、所望基地局に接続された他のユーザ装置を宛先とする非直交信号をキャンセルせずに無線信号を復調する。
他方、そのユーザ装置が所望基地局のセルエリア内にあるが最もセルエリア境界に近い位置にないと位置認識部が認識する場合に、ユーザ装置の干渉抑圧合成処理部は、無線信号の中の干渉基地局から受信された干渉信号成分を抑圧し、復調部は、干渉抑圧合成処理部によって干渉信号成分が抑圧された非直交信号を復調し、非直交信号キャンセル部は、復調部で復調された非直交信号を無線信号からキャンセルする。そして、復調部がそのユーザ装置を宛先とする信号を復調するまで、干渉抑圧合成処理部は、非直交信号キャンセル部から出力された非直交信号の中の干渉信号成分を抑圧し、復調部は、干渉抑圧合成処理部によって干渉信号成分が抑圧された非直交信号を復調する。つまり、この場合に、ユーザ装置は、復調部がそのユーザ装置を宛先とする信号を復調するまで、干渉抑圧合成と、所望基地局に接続された他のユーザ装置を宛先とする非直交信号のキャンセルを繰り返す。
以上のように、本発明によれば、非直交マルチアクセスにおいて、ユーザ装置が干渉抑圧合成を実行しかつ複数の非直交信号を含む無線信号を適切に処理することができる。特に、所望基地局から送信された情報に基づいて、ユーザ装置はそのユーザ装置の位置に関連するパラメータを認識し、その位置に関連するパラメータに基づいて、干渉抑圧合成と非直交信号の復調に関する適切な処理動作を選択的に実行することが可能である。
【図面の簡単な説明】
【００１３】
【図１】非直交マルチアクセスの概略を説明するための基地局とユーザ装置を示す概略図である。
【図２】非直交マルチアクセスにおける各ユーザ装置への基地局での下りリンク送信電力の割り当ての例を示す図である。
【図３】本発明が適用される無線通信システムを示す概略図である。
【図４】本発明が適用される無線通信システムにおける基地局の最も近傍にあるユーザ装置のそのユーザ装置宛の信号の復調に関する機能ブロックを示すブロック図である。
【図５】本発明が適用される無線通信システムにおける基地局から最も遠隔にあるユーザ装置のそのユーザ装置宛の信号の復調に関する機能ブロックを示すブロック図である。
【図６】本発明の第１の実施の形態に係る基地局の構成を示すブロック図である。
【図７】第１の実施の形態に係るユーザ装置の構成を示すブロック図である。
【図８】本発明の第２の実施の形態に係るユーザ装置の構成を示すブロック図である。
【図９】本発明の第４の実施の形態の一例に係る情報の送信方式を示す概略図である。
【図１０】本発明の第４の実施の形態の他の一例に係る情報の送信方式を示す概略図である。
【図１１】本発明の第５の実施の形態に係る基地局の構成を示すブロック図である。
【発明を実施するための形態】
【００１４】
以下、添付の図面を参照しながら本発明に係る様々な実施の形態を説明する。
まず、非直交マルチアクセスの概略を説明する。
図１に示すように、基地局１は複数のユーザ装置（user equipment、UE）１００〜１０２と通信する。図１において符号１ａは基地局１のセルエリアを示す。UE１０２は、セルエリア端すなわち最もセルエリア１ａの境界に近い位置にあり、基地局１から最も遠く、パスロスが最も大きい（あるいは受信ＳＩＮＲが最も小さい）。UE１０１は、セルエリア１ａの中央付近にあり、基地局１から最も近く、パスロスが最も小さい（あるいは受信ＳＩＮＲが最も大きい）。UE１０１は、UE１０２よりも基地局１に近く、UE１０１よりも基地局１から遠い。
【００１５】
図２は、非直交マルチアクセスにおける各UEへの基地局での下りリンク送信電力の割り当ての例を示す図である。基地局１は、UE１００〜１０２に対して同時に同じ周波数を使用して下りリンク送信を行う。つまり、これらのUE１００〜１０２には、同じ周波数と同じ時間が割り当てられる。基地局１は、最も遠隔にあるUE１０２への送信に最も高い下りリンク送信電力を使用し、最も近傍にあるUE１００への送信に最も低い下りリンク送信電力を使用する。
【００１６】
但し、基地局１に接続されるUEは、UE１００〜１０２に限られない。非直交マルチアクセスは、直交マルチアクセスに組み合わせることが可能であり、UE１００〜１０２以外のUEにはUE１００〜１０２に割り当てられた周波数と異なる周波数が割り当てられてもよい。また、同時に同じ周波数が割り当てられるUEの数（ＮＯＭＡで多重されるUEの数）は３に限らず、２でもよいし４以上でもよい。
【００１７】
各UE１００〜１０２の立場から見れば、最も高い受信電力の信号がUE１０２宛の信号であり、最も低い受信電力の信号がUE１０１宛の信号である。各UE１００〜１０２は最も高い受信電力の信号をまず復調する。その復調された信号は最もセルエリア１ａの境界に近い位置にあるUE１０２宛の信号であるから、UE１０２は復調を終了し、その復調された信号を使用する。他の各UE１００，１０１は、受信信号からその復調された信号に相当する干渉成分を干渉キャンセラにより除去し、２番目に高い受信電力の信号を復調する。その復調された信号は２番目にセルエリア１ａの境界に近い位置にあるUE１０１の信号であるから、UE１０１は復調を終了し、その復調された信号を使用する。このように高い受信電力の信号の復調と除去を繰り返すことにより、すべてのUE１００〜１０２はそのUE宛の信号を復調することができる。このように、非直交マルチアクセスでは、UEはそのUEを宛先とする信号を復調するまで、所望基地局１から送信された他のUEを宛先とする信号をキャンセルする。
【００１８】
次に、図３を参照し、干渉抑圧合成について説明する。図３に示すように、無線通信ネットワークは複数の基地局１，２を備える。基地局１は複数のUE１００，１０１と通信し、基地局２も複数のUE１２０，１２１と通信する。図３において符号２ａは基地局２のセルエリアを示す。基地局１に接続されたUEが所望基地局１から受信する電波は、基地局２から送信される同じ周波数の電波により干渉され、基地局２に接続されたUEが所望基地局２から受信する電波は、基地局１から送信される同じ周波数の電波により干渉される。特に、所望基地局のセルエリアの境界付近にあるUEは、隣の他の基地局から干渉電波ビームを受けやすい。例えば、在圏セルエリア（所望基地局１のセルエリア）１ａの境界付近に所在するUE１０１は、所望基地局１の隣の他の基地局２（干渉基地局）から干渉電波ビームを強く受けやすい。図３においては、所望基地局１で生成されたビーム１ｂの概略形状と、干渉基地局２で生成されたビーム２ｂの概略形状が示されている。干渉基地局２で生成されたビーム２ｂすなわち他のUE（例えばUE１２０）への下りチャネルのためのビームの一部がUE１０１にとって干渉信号２ｃの原因になりうる。
【００１９】
干渉抑圧合成は、例えば、ＭＭＳＥ（最小平均二乗誤差）アルゴリズムを用いて、UEが重み付け係数（受信ウェイト）を計算し、そのUEの各受信アンテナで受信される各信号に受信ウェイトを適用し、干渉基地局から送信された干渉信号をキャンセルする技術である。干渉抑圧合成の各種の手順は既に提案されており公知である。
【００２０】
本発明は、図３に示すような複数の基地局と複数のUEとを備える無線通信システムに関しており、特に各UEが干渉抑圧合成（ＩＲＣ）を実行しかつ複数の非直交信号を含む無線信号を適切に処理することができる、非直交マルチアクセス（ＮＯＭＡ）が適用される無線通信システムに関する。
【００２１】
次に、ＮＯＭＡにおける基地局での各UEへの下りリンク送信電力の決定手法の例を説明する。基地局は、例えば以下の式（１）を用いて、各UEに関する下りリンク送信電力Ｐｋを決定する。
【数１】
2015039132.tif 000003
【００２２】
式（１）において、Ｐは同時に同じ周波数を使用するすべてのUEへの下りリンク送信電力の合計（総下りリンク送信電力）である。各パラメータの添字ｋは、下りリンク送信電力Ｐｋが決定されるUEを識別し、各パラメータの添字ｉは式（１）中のサンメンションのためUEを識別する。Ｋは同時に同じ周波数を使用するすべてのUEの数である。ｈはUEについての下りリンクのチャネル係数を示し、Ｎは各UEでの熱雑音電力および他の基地局からの干渉電力の合計を示す。
【００２３】
【数２】
2015039132.tif 000004
は、UEｉでのＳＩＮＲ（信号対干渉雑音比）に相当し、基地局はそのＳＩＮＲをUEｉから報告されるＣＱＩ（チャネル品質インジケータ）によって知ることができる。式（１）において、αは、下りリンク送信電力の配分を決定する係数であり、０より大きく１以下である。仮にαが０であれば、同時に同じ周波数を使用するすべてのUEへの下りリンク送信電力は均等である。αは０より大きく１以下なので、ＳＩＮＲが大きい（受信品質が良好な）UEに、小さい下りリンク送信電力が割り当てられる。そして、αが１に近いほど、各ＵＥでの受信ＳＩＮＲの差に対する、各ＵＥへの送信電力の相違は大きくなる。
【００２４】
図３に示す各UEがＩＲＣを実行し、かつＮＯＭＡが適用される通信システムでの各UEでの無線信号の復調方式を説明する。基地局１に接続するUE１００，１０１を例にとる。UE１００は、基地局１の近傍にあるため、基地局間干渉（inter-cell interference）、すなわち他の基地局２からの干渉よりも、ＮＯＭＡによる他のUE宛の信号による干渉を強く受ける。一方、UE１０１は、基地局１のセルエリア内のセルエリア境界に近い位置にあるため、ＮＯＭＡによる他のUE宛の信号による干渉よりも、基地局間干渉を強く受ける。
【００２５】
したがって、UEの基地局のセルエリア内での位置に応じて、UEが異なる方式で復調することが望ましい。但し、上記のＮＯＭＡにおける下りリンク送信電力の決定手法の説明から明らかなように、ＮＯＭＡでの電力は、各ＵＥでの受信ＳＩＮＲ（受信品質）に依存するので、所望基地局から遠いＵＥへの下りリンク送信電力が高いとは限らず、所望基地局に近いＵＥへの下りリンク送信電力が低いとは限らない。ＳＩＮＲは位置に関連するパラメータであるが、位置に完全に依存するのではない。したがって、本明細書のＵＥの「位置」はＳＩＮＲ（受信品質）を基準とした位置であり、ＵＥと所望基地局の距離もＳＩＮＲ（受信品質）を基準とした距離である。つまり、セルエリア境界に近い位置にＵＥがある（またはＵＥが所望基地局から遠い）ことは、そのＵＥの受信ＳＩＮＲ（受信品質）が低いことを意図しており、ＵＥが所望基地局に近いことは、そのＵＥの受信ＳＩＮＲ（受信品質）が高いことを意図している。以下、説明の簡便化のため、ＮＯＭＡにより、基地局１に接続する２つのUE１００，１０１に同時に同じ下りリンクの周波数が割り当てられると想定する。
【００２６】
図４は、基地局１の最も近傍にあるUE１００の無線信号の受信からUE１００宛の信号の復調までの機能ブロックを示すブロック図である。図４に示すように、UE１００は、アンテナで受信された受信信号
【数３】
2015039132.tif 000005
をまずＩＲＣ重み付けし、ＩＲＣ重み付けされた受信信号からUE１０１宛の信号（最も高い受信電力の信号）
【数４】
2015039132.tif 000006
を復調する。
【００２７】
次に、UE１００は、アンテナで受信された受信信号からUE１０１宛の信号をキャンセルし、得られた信号をＩＲＣ重み付けし、ＩＲＣ重み付けされた信号からUE１００宛の信号（最も低い受信電力の信号）
【数５】
2015039132.tif 000007
を復調する。
【００２８】
図５は、基地局１から最も遠隔にある（セルエリア境界に最も近い位置にある）UE１０１の無線信号の受信からUE１０１宛の信号の復調までの機能ブロックを示すブロック図である。図５に示すように、UE１０１は、アンテナで受信された受信信号
【数６】
2015039132.tif 000008
をまずＩＲＣ重み付けし、ＩＲＣ重み付けされた受信信号からUE１０１宛の信号（最も高い受信電力の信号）
【数７】
2015039132.tif 000009
を復調する。
【００２９】
以上の想定では、同時に同じ周波数が割り当てられるUEの数（ＮＯＭＡで多重されるUEの数）は２であるが、これに限らず、３以上でもよい。基地局の近傍にあるUEは、受信電力がより高い信号の復調、その信号のキャンセルおよびＩＲＣ重み付けを、そのUEを宛先とする信号の復調が行われるまで、繰り返す。
【００３０】
以上説明したように、各UEがＩＲＣを実行し、かつＮＯＭＡが適用される通信システムでは、UEの基地局のセルエリア内での位置に応じて、UEが異なる方式で復調することが望ましい。したがって、各UEは、基地局のセルエリア内での相対的な位置に関連するパラメータを認識することが望ましい。
【００３１】
第１の実施の形態
図６は本発明の第１の実施の形態に係る基地局１の構成を示すブロック図である。基地局２も基地局１と同じ構成を有する。基地局１は、制御部３０、無線信号送信部３２、複数の送信アンテナ３３、無線信号受信部３４、受信アンテナ３５および基地局間通信部３６を備える。
【００３２】
無線信号送信部３２は、基地局１が各UEへ無線送信を行うため電気信号を送信アンテナ３３から送信する電波に変換するための送信回路である。送信アンテナ３３はアダプティブアンテナアレイを構成する。無線信号受信部３４は、基地局１が各UEから無線受信を行うため受信アンテナ３５から受信した電波を電気信号に変換するための受信回路である。基地局間通信部３６は、基地局１が他の基地局と通信を行うための通信インターフェイスである。
【００３３】
制御部３０は、ＣＱＩ報告処理部３８、情報通知部４０および下りリンク送信電力決定部４２を備える。制御部３０は、コンピュータプログラムに従って動作するＣＰＵ（central processing unit）である。ＣＱＩ報告処理部３８、情報通知部４０および下りリンク送信電力決定部４２は、制御部３０がそのコンピュータプログラムに従って機能することによって実現される機能ブロックである。
【００３４】
制御部３０は、基地局１に接続された各UEから送信され無線信号受信部３４で受信された上りリンクのデータ信号を処理する。
【００３５】
ＣＱＩ報告処理部３８は、基地局１に接続された各UEから報告され無線信号受信部３４で受信されたＣＱＩ（チャネル品質インジケータ）に基づいて、各UEでのＳＩＮＲを認識する。下りリンク送信電力決定部４２は、各UEでのＳＩＮＲに基づいて、ＮＯＭＡのために、基地局１に接続された各UEに対する下りリンク送信に使用する下りリンク送信電力を決定する。ＳＩＮＲは、UEのセルエリア内での相対的な位置、具体的にはUEと基地局の距離に関連するパラメータである。下りリンク送信電力の決定の手法は、式（１）を参照し上述した通りである。但し、式（１）は例であり、決定の手法はこれに限定されない。下りリンク送信電力決定部４２は、UEと基地局の距離が大きい程、高い下りリンク送信電力を割り当てる。
【００３６】
制御部３０は、基地局１に接続された複数のUEをそれぞれ宛先とする下りリンクのデータ信号を無線信号送信部３２に供給する。無線信号送信部３２は、これらのUEをそれぞれ宛先とする互いに直交しない複数の非直交信号（下りリンクのデータ信号に相当する）が混合された無線信号を、送信アンテナ３３により送信する。このとき、無線信号送信部３２は、各非直交信号を下りリンク送信電力決定部４２で決定された下りリンク送信電力で送信する。したがって、同時に同じ周波数が下りリンク送信で使用される複数のUEに対して、異なる下りリンク送信電力でデータ信号が送信される。
【００３７】
情報通知部４０は、基地局１に接続された複数のUEの各々に、そのUEの位置を示す情報を通知する。ここでいうUEの位置とは、UEのセルエリア内での相対的な位置、具体的にはUEと所望基地局の距離のレベルである。情報通知部４０は、UEと所望基地局の距離のレベルを示す情報を、上位レイヤ信号または制御チャネル信号でそのUEに通知する。
【００３８】
例えば、情報通知部４０は、UEと所望基地局の距離のレベルを示す情報として、制御チャネルの所定数のビットを使用することができる。表１は、UEと所望基地局の距離のレベルを示す情報の例を示す。
【表１】
2015039132.tif 000010
表１は、同時に同じ周波数が割り当てられるUEの数（ＮＯＭＡで多重されるUEの数）が４の場合の例である。各UEが下りリンクの制御チャネルの２ビットを解釈することにより、各UEはそのUEの所望基地局に対する位置を認識することができる。表１では２ビットの値００がセルエリア境界に最も近いことを示し、１１が基地局に最も近いことを示すが、ビットの値と解釈の関係はこの例に限られない。
【００３９】
ＮＯＭＡで多重されるUEの数は４に限られない。したがって、UEと所望基地局の距離のレベルを示す情報には様々なバリエーションがありうる。例えば、ＮＯＭＡで多重されるUEの数が２である場合には、表２に示す２ビットの情報を使用してもよいし、表３に示す１ビットの情報を使用してもよい。
【表２】
2015039132.tif 000011
【表３】
2015039132.tif 000012
【００４０】
UEの位置認識部６２は、このような位置を示す情報に基づいて、そのUEの位置に関連するパラメータを認識する。例えば表１〜表３のいずれかに示すビットの値と解釈の関係は、あらかじめUEに与えられており、この関係に基づいて、位置認識部６２は、ビットの値からそのUEの位置を認識することが可能である。
【００４１】
ＮＯＭＡで多重されるUEの数があらかじめ決まっている場合には、各UEにその数を通知する必要はないが、その数が可変である場合には、各UE（特にセルエリア境界に最も近い位置にないUE）にその数を通知する必要がある。この場合には、情報通知部４０は、その数を示す情報を上位レイヤ信号または制御チャネル信号で、基地局１に接続される各UEに通知する。
【００４２】
また、セルエリア境界に最も近い位置にない各UEでのデータ信号の復調のためには、各UEには、そのUEについての下りリンク送信電力に関する情報を通知する必要がある。下りリンク送信電力に関する情報とは、そのUEについての下りリンク送信電力Ｐｋを直接的に示す情報でもよいし、総下りリンク送信電力Ｐに対する下りリンク送信電力Ｐｋの比を示す情報でもよい。情報通知部４０は、このような情報を上位レイヤ信号または制御チャネル信号で、基地局１に接続される各UEに通知する。
【００４３】
図７は第１の実施の形態に係るUE１０の構成を示すブロック図である。上述したUE（UE１００等）はUE１０と同じ構成を有する。UE１０は、制御部５０、無線信号送信部５２、送信アンテナ５３、無線信号受信部５４および複数の受信アンテナ５５を備える。
【００４４】
無線信号送信部５２は、UE１０が所望基地局へ無線送信を行うため電気信号を送信アンテナ５３から送信する電波に変換するための送信回路である。無線信号受信部５４は、UE１０が所望基地局から無線受信を行うため受信アンテナ５５から受信した電波を電気信号に変換するための受信回路である。受信アンテナ５５はアダプティブアンテナアレイを構成する。
【００４５】
制御部５０は、受信品質測定部６０、ＣＱＩ報告部６１、位置認識部６２、電力認識部６４、干渉抑圧合成処理部（ＩＲＣ処理部）６６、復調部６８および非直交信号キャンセル部７０を備える。制御部５０は、コンピュータプログラムに従って動作するＣＰＵである。受信品質測定部６０、ＣＱＩ報告部６１、位置認識部６２、電力認識部６４、ＩＲＣ処理部６６、復調部６８および非直交信号キャンセル部７０は、制御部５０がそのコンピュータプログラムに従って機能することによって実現される機能ブロックである。
【００４６】
制御部５０は、上りリンクのデータ信号を無線信号送信部５２に供給し、無線信号送信部５２は、上りリンクのデータ信号を送信アンテナ５３により所望基地局に送信する。受信品質測定部６０は、無線信号受信部５４で受信された無線信号のＳＩＮＲを測定する。ＣＱＩ報告部６１はＳＩＮＲに基づいてＣＱＩを生成し、ＣＱＩを無線信号送信部５２に供給する。無線信号送信部５２は、ＣＱＩを制御チャネルで所望基地局に送信する。
【００４７】
無線信号受信部５４は、所望基地局から送信された互いに直交しない複数の非直交信号が含まれた無線信号を受信する。また、無線信号受信部５４は、所望基地局から送信されたそのUEの位置を示す情報およびそのUEについての下りリンク送信電力に関する情報を受信する。さらに、所望基地局がＮＯＭＡで多重されるUEの数を示す情報を送信する場合には、無線信号受信部５４は所望基地局から送信されたＮＯＭＡで多重されるUEの数を示す情報を受信する。
【００４８】
位置認識部６２は、所望基地局から送信されたそのUEの位置を示す情報に基づいて、そのUEの位置に関連するパラメータを認識する。電力認識部６４は、所望基地局から送信されたそのUEについての下りリンク送信電力に関する情報に基づいて、そのUEについての下りリンク送信電力Ｐｋを認識する。
【００４９】
ＩＲＣ処理部６６は、無線信号受信部５４が無線信号受信部が受信した無線信号の中の非直交信号の中の、そのUEが接続されていない干渉基地局から受信された干渉信号成分を抑圧する。復調部６８は、ＩＲＣ処理部６６によって干渉信号成分が抑圧された非直交信号を復調する。非直交信号キャンセル部７０は、そのUEが所望基地局のセルエリア内にあるが最もセルエリア境界に近い位置にないと位置認識部６２が認識する場合に、復調部６８で復調された非直交信号を無線信号からキャンセルする。ＩＲＣ処理部６６、復調部６８および非直交信号キャンセル部７０の動作は、所望基地局から通知され位置認識部６２で認識されたUEの基地局のセルエリア内での位置に応じて異なる。
【００５０】
UEが所望基地局から最も遠隔にある（セルエリア境界に最も近い位置にある）と位置認識部６２が認識する場合には、ＩＲＣ処理部６６は、無線信号受信部５４で受信された受信信号をＩＲＣ重み付けすることにより干渉信号成分を抑圧する。復調部６８は、ＩＲＣ重み付けによって干渉信号成分が抑圧された受信信号を復調する。したがって、そのUE宛の信号（最も高い受信電力の信号）が復調される。つまり、そのUE宛のデータ信号が得られ、復調の処理は終了する。他のUE宛の信号を復調してキャンセルする必要はない。この場合、非直交信号キャンセル部７０は動作しない。
【００５１】
UEが所望基地局から最も遠隔にあると位置認識部６２が認識する場合の復調の処理は、図５を参照して上述した通りである。UEが所望基地局から最も遠隔にある場合、無線信号受信部５４で受信された受信信号
【数８】
2015039132.tif 000013
は例えば下記の式（２）で表される。添字の（ｋ）は下りリンクのリソース、具体的には周波数を示す。
【数９】
2015039132.tif 000014
【００５２】
式（２）において、
【数１０】
2015039132.tif 000015
は、所望基地局からそのUEまでの下りリンクのチャネルインパルス行列を示す。式（２）はＮＯＭＡで多重されるUEの数が２である場合（同時に同じ周波数で２つのUEに下りリンク送信が行われる場合）に使用される。Ｐ０は所望基地局に近い方のUEへの下りリンク送信電力を示し、Ｐ１は所望基地局から遠い方のUE（つまり復調処理を行うUE）への下りリンク送信電力を示す。
【００５３】
【数１１】
2015039132.tif 000016
は、所望基地局に近い方のUEを宛先とする送信データ信号ベクトルを示し、
【数１２】
2015039132.tif 000017
は、所望基地局から遠い方のUEを宛先とする送信データ信号ベクトルを示す。
【００５４】
【数１３】
2015039132.tif 000018
は、そのUEに支配的な干渉をもたらす干渉基地局からそのUEまでの下りリンクのチャネルインパルス行列を示し、
【数１４】
2015039132.tif 000019
は、干渉基地局からそのUEに干渉を与える送信データ信号ベクトルを示す。
【００５５】
【数１５】
2015039132.tif 000020
は、支配的ではない干渉成分を表す行列を示し、
【数１６】
2015039132.tif 000021
は、熱雑音成分を表する行列を示す。
【００５６】
UEが所望基地局から最も遠隔にある場合のＩＲＣ処理部６６によるＩＲＣ重み付けのためのＩＲＣ重み付け行列
【数１７】
2015039132.tif 000022
は例えば下記の式（３）で表される。式（３）はＮＯＭＡで多重されるUEの数が２である場合（同時に同じ周波数で２つのUEに下りリンク送信が行われる場合）に使用される。
【数１８】
2015039132.tif 000023
【００５７】
式（３）において、
【数１９】
2015039132.tif 000024
は所望基地局からそのUEまでの下りリンクの推定チャネルインパルス行列を示す。上付文字Hは複素共役転置（complex conjugate transpose）を示す。Ｐ1Intercellは、そのUEに支配的な干渉をもたらす干渉基地局の送信電力を示し、σＩ１２は支配的ではない干渉電力を示し、σＮ１２は熱雑音電力を示す。
【数２０】
2015039132.tif 000025
は単位行列を示す。
【００５８】
式（３）で用いられるＰ０＋Ｐ１は、所望基地局の総下りリンク送信電力Ｐであり、UEにとって既知である（総下りリンク送信電力Ｐは固定値であってもよいし、上位レイヤ信号または参照信号によって所望基地局からUEに通知されてもよい）。他の各パラメータは、公知の技術によって推定される。したがって、所望基地局から最も遠隔にあるUEのＩＲＣ処理部６６は、ＩＲＣ重み付け行列を算出することができ、これを受信信号に乗算することができる。ＩＲＣ処理部６６は、そのUEのための下りリンク送信電力Ｐ１を知る必要はない。所望基地局から最も遠隔にあるUEの復調部６８は、ＩＲＣ重み付けされた受信信号を復調するだけで、そのUE宛のデータ信号を得ることができる。
【００５９】
他方、UEが所望基地局のセルエリア内にあるが最もセルエリア境界に近い位置にないと位置認識部６２が認識する場合には、ＩＲＣ処理部６６は、無線信号受信部５４で受信された受信信号をＩＲＣ重み付けすることにより干渉信号成分を抑圧し、復調部６８は、ＩＲＣ重み付けによって干渉信号成分が抑圧された受信信号を復調する。したがって、所望基地局から最も遠隔にあるUE宛の信号（最も高い受信電力の信号）が復調される。
【００６０】
この後、非直交信号キャンセル部７０は、復調部６８で復調された非直交信号を無線信号からキャンセルする。そして、復調部６８がそのUEを宛先とする信号を復調するまで、ＩＲＣ処理部６６は、非直交信号キャンセル部７０から出力された非直交信号の中の干渉信号成分を抑圧し、復調部６８は、ＩＲＣ処理部６６によって干渉信号成分が抑圧された非直交信号を復調する。つまり、この場合に、UEは、復調部６８がそのUEを宛先とする信号を復調するまで、干渉抑圧合成と、所望基地局に接続された他のUEを宛先とする非直交信号のキャンセルを繰り返す。
【００６１】
UEが所望基地局のセルエリア内にあるが最もセルエリア境界に近い位置にないと位置認識部６２が認識する場合の復調の処理は、図４を参照して上述した通りである。UEが所望基地局のセルエリア内にあるが最もセルエリア境界に近い位置にない場合、無線信号受信部５４で受信された受信信号
【数２１】
2015039132.tif 000026
は例えば下記の式（４）で表される。
【数２２】
2015039132.tif 000027
【００６２】
式（４）において、
【数２３】
2015039132.tif 000028
は、所望基地局からそのUEまでの下りリンクのチャネルインパルス行列を示す。式（４）はＮＯＭＡで多重されるUEの数が２である場合（同時に同じ周波数で２つのUEに下りリンク送信が行われる場合）に使用される。Ｐ０は所望基地局に近い方のUE（つまり復調処理を行うUE）への下りリンク送信電力を示し、Ｐ１は所望基地局から遠い方のUE（つまり他方のUE）への下りリンク送信電力を示す。
【００６３】
【数２４】
2015039132.tif 000029
は、そのUEに支配的な干渉をもたらす干渉基地局からそのUEまでの下りリンクのチャネルインパルス行列を示し、
【数２５】
2015039132.tif 000030
は、干渉基地局からそのUEに干渉を与える送信データ信号ベクトルを示す。
【００６４】
【数２６】
2015039132.tif 000031
は、支配的ではない干渉成分を表す行列を示し、
【数２７】
2015039132.tif 000032
は、熱雑音成分を表する行列を示す。
【００６５】
UEが所望基地局のセルエリア内にあるが最もセルエリア境界に近い位置にない場合のＩＲＣ処理部６６による最初のＩＲＣ重み付け（図４の上段のＩＲＣ重み付け）のためのＩＲＣ重み付け行列
【数２８】
2015039132.tif 000033
は例えば下記の式（５）で表される。式（５）はＮＯＭＡで多重されるUEの数が２である場合（同時に同じ周波数で２つのUEに下りリンク送信が行われる場合）に使用される。
【数２９】
2015039132.tif 000034
【００６６】
式（５）において、
【数３０】
2015039132.tif 000035
は所望基地局からそのUEまでの下りリンクの推定チャネルインパルス行列を示す。Ｐ0Intercellは、そのUEに支配的な干渉をもたらす干渉基地局の送信電力を示し、σＩ０２は支配的ではない干渉電力を示し、σＮ０２は熱雑音電力を示す。
【００６７】
式（５）で用いられるＰ０＋Ｐ１は、所望基地局の総下りリンク送信電力であり、UEにとって既知である。他の各パラメータは、公知の技術によって推定される。したがって、所望基地局の近傍にあるUEのＩＲＣ処理部６６は、式（５）に従ってＩＲＣ重み付け行列を算出することができ、これを受信信号に乗算することができる。所望基地局の近傍にあるUEの復調部６８は、ＩＲＣ重み付けされた受信信号を復調するだけで、所望基地局から最も遠隔にあるUE宛のデータ信号を得ることができる。
【００６８】
この後、非直交信号キャンセル部７０は、復調部６８で復調された非直交信号（所望基地局から最も遠隔にあるUE宛のデータ信号のレプリカ）を無線信号からキャンセルする。その結果の信号
【数３１】
2015039132.tif 000036
は例えば下記の式（６）で表される。
【数３２】
2015039132.tif 000037
【００６９】
式（６）はＮＯＭＡで多重されるUEの数が２である場合（同時に同じ周波数で２つのUEに下りリンク送信が行われる場合）に使用される。Ｐ０は所望基地局に近い方のUE（つまり復調処理を行うUE）への下りリンク送信電力を示す。
【００７０】
ＩＲＣ処理部６６は、非直交信号キャンセル部７０から出力された非直交信号の中の干渉信号成分をＩＲＣ重み付けによって抑圧する。UEが所望基地局のセルエリア内にあるが最もセルエリア境界に近い位置にない場合のＩＲＣ処理部６６による２回目のＩＲＣ重み付け（図４の下段のＩＲＣ重み付け）のためのＩＲＣ重み付け行列
【数３３】
2015039132.tif 000038
は例えば下記の式（７）で表される。式（７）はＮＯＭＡで多重されるUEの数が２である場合（同時に同じ周波数で２つのUEに下りリンク送信が行われる場合）に使用される。
【数３４】
2015039132.tif 000039
【００７１】
式（７）で用いられるＰ０は、復調処理を行うUEへの下りリンク送信電力であり、電力認識部６４によって認識されている。他の各パラメータは、公知の技術によって推定される。したがって、所望基地局の近傍にあるUEのＩＲＣ処理部６６は、式（７）に従ってＩＲＣ重み付け行列を算出することができ、これを信号
【数３５】
2015039132.tif 000040
に乗算することができる。所望基地局の近傍にあるUEの復調部６８は、ＩＲＣ重み付けされた信号を式（６）に従って復調することにより、所望基地局からそのUE宛のデータ信号を得ることができる。式（６）で用いられるＰ０は、復調処理を行うUEへの下りリンク送信電力であり、電力認識部６４によって認識されている。他の各パラメータは、公知の技術によって測定または推定される。
【００７２】
以上、ＮＯＭＡで多重されるUEの数が２である場合のUEの具体的動作を説明したが、ＮＯＭＡで多重されるUEの数が３以上である場合のUEの具体的動作は、当業者にとっては上記説明に適切な改変が加えられることで理解される。
【００７３】
以上のように、この実施の形態によれば、非直交マルチアクセスにおいて、ユーザ装置が干渉抑圧合成を実行しかつ複数の非直交信号を含む無線信号を適切に処理することができる。特に、所望基地局から送信された情報に基づいて、ユーザ装置はそのユーザ装置の位置を認識し、その位置に基づいて、干渉抑圧合成と非直交信号の復調に関する適切な処理動作を選択的に実行することが可能である。
【００７４】
第２の実施の形態
次に本発明に係る第２の実施の形態を説明する。第２の実施の形態に係る基地局の構成は第１の実施の形態の基地局１（図６参照）と同じでよい。第１の実施の形態では、情報通知部４０は、基地局１に接続された複数のUEの各々に、そのUEの位置を示す情報を通知し、そのUEについての下りリンク送信電力に関する情報を通知する。つまり、情報通知部４０は、UEの位置を示す情報と、そのUEについての下りリンク送信電力に関する情報を別個にUEに通知する。
【００７５】
しかし、第２の実施の形態では、基地局の情報通知部４０は、基地局１に接続された複数のUEの各々に、そのUEの位置を示す情報を通知せず、そのUEについての下りリンク送信電力に関する情報を通知する。ＮＯＭＡにおいては、所望基地局とUEの距離が大きいほど、下りリンク送信電力が高いので、UEは下りリンク送信電力に関する情報に関する情報に基づいて、そのUEの位置、具体的には所望基地局とUEの距離を認識することが可能である。
【００７６】
ＮＯＭＡで多重されるUEの数があらかじめ決まっている場合には、各UEにその数を通知する必要はないが、その数が可変である場合には、各UE（特にセルエリア境界に最も近い位置にないUE）にその数を通知する必要がある。この場合には、情報通知部４０は、その数を示す情報を上位レイヤ信号または制御チャネル信号で、基地局１に接続される各UEに通知する。
【００７７】
図８は第２の実施の形態に係るUE１０の構成を示すブロック図である。第２の実施の形態に係るUEの構成要素は、第１の実施の形態のUE（図７参照）と同じでよいが、位置認識部６２は、所望基地局から送信されたそのUEについての下りリンク送信電力に関する情報に基づいて、そのUEの位置に関連するパラメータを認識する。電力認識部６４は、第１の実施の形態と同様に、所望基地局から送信されたそのUEについての下りリンク送信電力に関する情報に基づいて、そのUEについての下りリンク送信電力Ｐｋを認識する。
【００７８】
第１の実施の形態と同様に、UEが所望基地局のセルエリア内にあるが最もセルエリア境界に近い位置にないと位置認識部６２が認識する場合、UEのＩＲＣ処理部６６は、そのUEを宛先とする信号を復調するためのＩＲＣ重み付けの計算に、電力認識部６４で認識された下りリンク送信電力を使用する。つまり、UEが所望基地局のセルエリア内にあるが最もセルエリア境界に近い位置にない場合、ＩＲＣ処理部６６は、電力認識部６４で認識された下りリンク送信電力に基づいて、干渉信号成分を抑圧する。
【００７９】
第１の実施の形態と同様に、UEが所望基地局のセルエリア内にあるが最もセルエリア境界に近い位置にないと位置認識部６２が認識する場合、UEの復調部６８は、そのUEを宛先とする信号を復調するために、電力認識部６４で認識された下りリンク送信電力を使用する。つまり、UEが所望基地局のセルエリア内にあるが最もセルエリア境界に近い位置にない場合、復調部６８は、電力認識部６４で認識された下りリンク送信電力に基づいて、そのUEを宛先とする信号を復調する。
【００８０】
基地局１の情報通知部４０がUEに通知する下りリンク送信電力に関する情報とは、そのUEについての下りリンク送信電力Ｐｋを直接的に示す情報でもよいし、総下りリンク送信電力Ｐに対する下りリンク送信電力Ｐｋの比を示す情報でもよい。所望基地局の総下りリンク送信電力ＰはUEにとって既知であるから、UEの電力認識部６４は、比を示す情報からそのUEについての下りリンク送信電力Ｐｋを計算することができる。
【００８１】
基地局１の情報通知部４０は、下りリンク送信電力に関連する情報を、上位レイヤ信号または制御チャネル信号でそのUEに通知する。例えば、情報通知部４０は、下りリンク送信電力に関連する情報として、制御チャネルの所定数のビットを使用することができる。表４は、下りリンク送信電力に関連する情報の例を示す。
【表４】
2015039132.tif 000041
【００８２】
表４は、同時に同じ周波数が割り当てられるUEの数（ＮＯＭＡで多重されるUEの数）が４の場合の例である。各UEが下りリンクの制御チャネルの２ビットを解釈することにより、各UEはそのUEについての下りリンク送信電力（この例では総下りリンク送信電力Ｐに対する下りリンク送信電力Ｐｋの比）およびそのUEの所望基地局に対する位置を認識することができる。下りリンク送信電力に関連する情報は、下りリンク送信電力に関連する情報であると同時に、UEの所望基地局に対する位置を示す情報でもあると考えることができる。表４では２ビットの値００が最大の送信電力およびセルエリア境界に最も近いことを示し、１１が最小の送信電力および基地局に最も近いことを示すが、ビットの値と解釈の関係はこの例に限られない。
【００８３】
ＮＯＭＡで多重されるUEの数は４に限られない。したがって、下りリンク送信電力に関連する情報には様々なバリエーションがありうる。例えば、ＮＯＭＡで多重されるUEの数が２である場合には、表５に示す２ビットの情報を使用してもよいし、表６に示す１ビットの情報を使用してもよい。
【表５】
2015039132.tif 000042
【表６】
2015039132.tif 000043
【００８４】
このような位置および下りリンク送信電力を示す情報に基づいて、UEの位置認識部６２はそのUEの位置を認識し、UEの電力認識部６４はそのUEへの下りリンク送信電力を認識する。例えば表４〜表６のいずれかに示すビットの値と解釈の関係は、あらかじめUEに与えられており、この関係に基づいて、位置認識部６２はビットの値からそのUEの位置を認識することが可能であり、電力認識部６４はビットの値からそのUEへの下りリンク送信電力を認識することが可能である。
【００８５】
下りリンク送信電力を示す情報とUEでの下りリンク送信電力の解釈の関係を更新することが可能である。例えば、表４においてビット００は電力比が０．５であることを示す。基地局１の下りリンク送信電力決定部４２は、例えば式（１）に従って、逐次的に下りリンク送信電力を決定するので、基地局１から最も遠隔にあるUEへの下りリンク送信電力が０．５以外の値に決定されることがありうる。他のUEについての下りリンク送信電力も同様である。したがって、基地局１の情報通知部４０は、下りリンク送信電力の解釈の更新を指示する情報をUEに送信することが好ましい。表７は、UEに下りリンク送信電力の解釈の更新を指示するための情報の例である。このような情報は上位レイヤ信号または制御チャネル信号で基地局１からUEに通知される。このような情報を受信したUEにおいて、電力認識部６４は新解釈に従って下りリンク送信電力を示す情報を解釈して、下りリンク送信電力を認識する。
【表７】
2015039132.tif 000044
【００８６】
この実施の形態によれば、第１の実施の形態と同様に、所望基地局から送信された情報に基づいて、ユーザ装置はそのユーザ装置の位置を認識し、その位置に基づいて、干渉抑圧合成と非直交信号の復調に関する適切な処理動作を選択的に実行することが可能である。さらに、この実施の形態によれば、ユーザ装置は、所望基地局から送信された下りリンク送信電力に関する情報を、干渉抑圧合成と非直交信号の復調に使用することができ、しかも所望基地局から送信された単一種類の情報により、ユーザ装置は、そのユーザ装置の位置およびそのユーザ装置についての下りリンク送信電力を認識することができる。したがって、第１の実施の形態よりもトラフィック量を削減することができる。
【００８７】
第３の実施の形態
次に本発明に係る第３の実施の形態を説明する。第３の実施の形態は、第２の実施の形態の変形であり、基地局１の情報通知部４０は、各UEにUEの位置および下りリンク送信電力に関する情報として、そのUEについての下りリンクデータ信号の変調・符号化方式（ＭＣＳ、Modulation and Coding Scheme）を示す情報を通知する。
【００８８】
UEでの下りリンクのデータ信号の復調のためには、UEはそのUEについての下りリンクデータ信号のＭＣＳを知っている必要がある。また、UEが所望基地局のセルエリア内にあるが最もセルエリア境界に近い位置にない（電力がＮＯＭＡで多重される他のUEよりも低い）場合には、UEは、ＮＯＭＡで多重される他のUEを宛先とする信号（電力が高い信号）を復調する必要があるため、他のUEについてのＭＣＳを知っている必要がある。したがって、第１の実施の形態および第２の実施の形態でも、基地局１の情報通知部４０は、UEにそのUEのためのＭＣＳを通知し、そのUEより電力が高いUEのためのＭＣＳも通知する。しかし、第３の実施の形態では、基地局１からUEに通知されるＭＣＳを示す情報には、そのＭＣＳに関するUEの位置およびそのUEについての下りリンク送信電力が関連付けられている。ここでいう「関連付け」とは、基地局１から送信されたＭＣＳを示す情報に基づいて、UEがそのUEの位置およびそのUEについての下りリンク送信電力を解釈することができることを意味する。
【００８９】
第３の実施の形態に係る基地局の構成は第１の実施の形態の基地局１（図６参照）と同じでよい。第３の実施の形態に係るUEの構成は第２の実施の形態のUE１０（図８参照）と同じでよい。
【００９０】
基地局１の情報通知部４０がUEに通知するＭＣＳには、そのUEについての下りリンク送信電力Ｐｋが直接的に関連付けられていてもよいし、総下りリンク送信電力Ｐに対する下りリンク送信電力Ｐｋの比が関連付けられていてもよい。所望基地局の総下りリンク送信電力ＰはUEにとって既知であるから、UEの電力認識部６４は、比を示す情報からそのUEについての下りリンク送信電力Ｐｋを計算することができる。また、ＭＣＳには、後述する下りリンク送信電力の相対値が関連付けられ、相対値に基づいてUEが下りリンク送信電力を計算してもよい。基地局１の情報通知部４０がUEに通知するＭＣＳには、そのUEの位置（すなわちUEと所望基地局の距離のレベル）が直接的に関連付けられていてもよい。また、ＭＣＳには、後述する下りリンク送信電力の相対値が関連付けられ、相対値に基づいてUEが位置を解釈してもよい。
【００９１】
UEの位置認識部６２は、所望基地局から送信されたＭＣＳを示す情報に基づいて、そのユーザ装置の位置に関連するパラメータを認識する。電力認識部６４は、所望基地局から送信されたＭＣＳを示す情報に基づいて、そのUEについての下りリンク送信電力Ｐｋを認識する。
【００９２】
第１の実施の形態と同様に、UEが所望基地局のセルエリア内にあるが最もセルエリア境界に近い位置にないと位置認識部６２が認識する場合、UEのＩＲＣ処理部６６は、そのUEを宛先とする信号を復調するためのＩＲＣ重み付けの計算に、電力認識部６４で認識された下りリンク送信電力を使用する。つまり、UEが所望基地局のセルエリア内にあるが最もセルエリア境界に近い位置にない場合、ＩＲＣ処理部６６は、電力認識部６４で認識された下りリンク送信電力に基づいて、干渉信号成分を抑圧する。
【００９３】
第１の実施の形態と同様に、UEが所望基地局のセルエリア内にあるが最もセルエリア境界に近い位置にないと位置認識部６２が認識する場合、UEの復調部６８は、そのUEを宛先とする信号を復調するために、電力認識部６４で認識された下りリンク送信電力を使用する。つまり、UEが所望基地局のセルエリア内にあるが最もセルエリア境界に近い位置にない場合、復調部６８は、電力認識部６４で認識された下りリンク送信電力に基づいて、そのUEを宛先とする信号を復調する。
【００９４】
この実施の形態によれば、第２の実施の形態の効果と同じ効果を達成することができる。しかも基地局から送信されるＭＣＳを示す情報により、ユーザ装置は、そのユーザ装置の位置およびそのユーザ装置についての下りリンク送信電力を認識することができる。したがって、第２の実施の形態よりもトラフィック量を削減することができる。
【００９５】
第３の実施の形態の特定の例を以下に説明する。表８は、ＭＣＳを示す情報（ＭＣＳインデックス）と下りリンク送信電力の相対値の関係の例を示す。
【表８】
2015039132.tif 000045
【００９６】
表８に示すＭＣＳインデックスと解釈の関係は、あらかじめUEに与えられており、この関係に基づいて、UEは下りリンク送信電力の相対値を認識することが可能である。表８においては、複数のＭＣＳインデックスに同じ送信電力の相対値が割り当てられているが、異なるＭＣＳインデックスに異なる相対値を割り当ててもよい。
【００９７】
基地局１の情報通知部４０は、ＮＯＭＡで多重される複数のUEに、これらの複数のUEに使用されるＭＣＳインデックスをすべて通知する。また、情報通知部４０は、各UEにそのUEのためのＭＣＳがどれであるのかも通知する。UEの位置認識部６２は、これらのＭＣＳインデックスから複数のUEについての下りリンク送信電力の相対値を認識し、これらの相対値に基づいて、UEの位置を認識する。UEの電力認識部６４は、これらのＭＣＳインデックスから複数のUEについての下りリンク送信電力の相対値を認識し、これらの相対値と既知の総下りリンク送信電力Ｐに基づいて、そのUEへの下りリンク送信電力を計算する。
【００９８】
例えば、ＮＯＭＡで多重されるUEの数が２であって、MCSインデックス４とMCSインデックス２２が基地局１から各UEに通知されると想定する。所望基地局から最も遠隔にある（セルエリア境界に最も近い位置にある）UEにはMCSインデックス４で示されるＭＣＳが割り当てられ、所望基地局に最も近いUEにはMCSインデックス２２で示されるＭＣＳが割り当てられると想定する。この場合、所望基地局から最も遠隔にあるUEには、電力の相対値５が割り当てられ、所望基地局に最も近いUEには電力の相対値１が割り当てられる。相対値の合計は６である。
【００９９】
所望基地局から送信されるＭＣＳインデックスの数は２であるから、各UEの位置認識部６２はそのＭＣＳインデックスの数に基づいて、ＮＯＭＡで多重されるUEの数を認識することができる。各UEの位置認識部６２は、これらのＭＣＳインデックス（４と２２）から複数のUEについての下りリンク送信電力の相対値（５と１）を認識するとともに、そのUEについてのＭＣＳインデックス（４または２２）からそのUEについての下りリンク送信電力の相対値（５または１）を認識する。そのUEについての下りリンク送信電力の相対値が他のUEについての下りリンク送信電力より高ければ、位置認識部６２は、そのUEが所望基地局から最も遠隔にあると認識する。そのUEについての下りリンク送信電力の相対値が他のUEについての下りリンク送信電力より低ければ、位置認識部６２は、そのUEが所望基地局に最も近いと認識する。ＮＯＭＡで多重されるUEの数が３以上の場合でも、所望基地局から送信されるＭＣＳインデックスの数と相対値相互の比較に基づいて、位置認識部６２は、そのUEの位置（UEと所望基地局の距離のレベル）を認識することができる。
【０１００】
各UEの電力認識部６４は、所望基地局から送信されるＭＣＳインデックスの数に基づいて、ＮＯＭＡで多重されるUEの数を認識することができる。各UEの電力認識部６４は、これらのＭＣＳインデックス（４と２２）から複数のUEについての下りリンク送信電力の相対値（５と１）を認識するとともに、そのUEについてのＭＣＳインデックス（４または２２）からそのUEについての下りリンク送信電力の相対値（５または１）を認識する。また、電力認識部６４は、相対値の合計に対するそのUEについての下りリンク送信電力の相対値の比に、既知の総下りリンク送信電力Ｐを乗算することにより、そのUEについての下りリンク送信電力の絶対値を計算する。より具体的には、UEが所望基地局から最も遠隔にあると位置認識部６２が認識する場合、そのUEの電力認識部６４は、そのUEについての下りリンク送信電力Ｐ０を下記の式に従って計算する。
Ｐ０＝Ｐ＊５／６
【０１０１】
UEが所望基地局に最も近いと位置認識部６２が認識する場合、そのUEの電力認識部６４は、そのUEについての下りリンク送信電力Ｐ１を下記の式に従って計算する。
Ｐ１＝Ｐ＊１／６
【０１０２】
ＮＯＭＡで多重されるUEの数が３以上の場合でも、これらの相対値に基づいて、電力認識部６４は、そのUEについての下りリンク送信電力の絶対値を計算することができる。
【０１０３】
この例において、ＭＣＳインデックスと下りリンク送信電力の相対値の解釈の関係を更新することが可能である。基地局１の下りリンク送信電力決定部４２は、例えば式（１）に従って、逐次的に下りリンク送信電力を決定するので、表８の関係が必ずしも適切はなくなることがありうる。したがって、基地局１の情報通知部４０は、ＭＣＳインデックスと下りリンク送信電力の相対値の解釈の更新を指示する情報をUEに送信することが好ましい。表９は、UEに下りリンク送信電力の相対値の解釈の更新を指示するための情報の例である。このような情報は上位レイヤ信号または制御チャネル信号で基地局１からUEに通知される。このような情報を受信したUEにおいて、電力認識部６４は新解釈に従って下りリンク送信電力の相対値を認識する。
【表９】
2015039132.tif 000046
【０１０４】
第４の実施の形態
次に本発明に係る第４の実施の形態を説明する。第４の実施の形態は、第２の実施の形態の変形であり、基地局１の情報通知部４０は、各UEにUEの位置および下りリンク送信電力に関する情報を、参照信号によって通知する。第４の実施の形態に係る基地局の構成は第１の実施の形態の基地局１（図６参照）と同じでよい。第４の実施の形態に係るUEの構成は第２の実施の形態のUE１０（図８参照）と同じでよい。
【０１０５】
UEの位置認識部６２は、所望基地局から送信された参照信号を分析し、そのUEの位置に関連するパラメータを認識する。UEの電力認識部６４は、所望基地局から送信された参照信号を分析し、そのUEについての下りリンク送信電力Ｐｋを認識する。参照信号の送信の方式としては、図９に示す共通参照信号を送信する方式と、図１０に示す個別参照信号を送信する方式がある。
【０１０６】
図９および図１０は、下りリンク送信電力が高いUE１００宛のデータ信号と、下りリンク送信電力が低いUE１０１宛のデータ信号とがＮＯＭＡにより、同時に同じ周波数で多重送信されることを示す。図９の例では、基地局１は、UE１００のデータ信号のための下り送信電力とUE１０１のデータ信号のための下り送信電力の両方を使用して、同時に同じ周波数で共通参照信号を送信する。この結果、UE１００は、UE１００だけでなくUE１０１の位置および下り送信電力を知ることができ、UE１０１は、UE１０１だけでなくUE１００の位置および下り送信電力を知ることができる。
【０１０７】
図１０の例では、基地局１は、UE１００のデータ信号のための下り送信電力を用いて、UE１００宛の個別参照信号を送信し、UE１０１のデータ信号のための下り送信電力を用いて、UE１０１宛の個別参照信号を送信する。したがって、UE１００宛の参照信号とUE１０１宛の参照信号は直交する。この結果、UE１００は、UE１００だけの位置および下り送信電力を知ることができ、UE１０１は、UE１０１だけの位置および下り送信電力を知ることができる。
【０１０８】
第５の実施の形態
次に本発明に係る第５の実施の形態を説明する。第５の実施の形態に係るUEの構成は第１の実施の形態のUE（図７参照）または第２の実施の形態のUE１０（図８参照）と同じでよい。但し、各UEのＩＲＣ処理部６６は、逐次干渉キャンセラ（Successive Interference Canceller、ＳＩＣ）である。ＳＩＣは、例えば、下記の文献に開示されている。
S. Sen, N. Santhapuri, R.R. Choudhury, and S. Nelakuditi, "Successive interference cancellation: A back-of-the-envelope perspective," in Proc. Ninth ACM Workshop on Hot Topics in Networks (HotNets-IX), Monterey, CA, Oct. 20-21, 2010。
Raphael Visoz at al, "Binary Versus Symbolic Performance Prediction Methods For Iterative MMSE-IC Multiuser MIMO Joint Decoding", in Proc. IEEE SPAWC, June 2009。
【０１０９】
ＳＩＣは、干渉基地局（所望基地局の近隣の他の基地局）からの干渉信号成分を復調することにより干渉レプリカを生成し、干渉レプリカを無線信号から逐次的に減算する。これにより干渉を抑圧することが可能である。UEが干渉信号成分を復調するためには、干渉基地局に接続されたUEでの信号の復調に使用されるのと同じＭＣＳをUEは知る必要がある。さらに、干渉基地局でもＮＯＭＡを適用している場合には、UEが干渉信号成分を復調するためには、そのUEへの信号と同じ周波数で干渉基地局からＮＯＭＡにより下りリンク送信されている複数のUEのうちの干渉基地局からの下りリンク送信電力が最大のUEについての下りリンク送信電力をUEは知る必要がある（そのUEへの信号と同じ周波数で干渉基地局からＮＯＭＡにより下りリンク送信されている複数のUEについてのすべての下りリンク送信電力をUEは知ることが好ましい）。
【０１１０】
そこで、この実施の形態では、基地局の各々はその基地局での下りリンク送信に使用する下りリンク送信電力に関する情報を近隣の他の基地局に通知する。そして、基地局の各々は、近隣の他の基地局から受信した近隣の他の基地局での下りリンク送信に使用する下りリンク送信電力に関する他基地局電力情報を、その基地局に接続された複数のUEに通知する。
【０１１１】
図１１は、第５の実施の形態に係る基地局１の構成を示すブロック図である。第５の実施の形態に係る基地局１の構成要素は、第１の実施の形態の基地局１（図６参照）と同じでよい。また第５の実施の形態に係る基地局１は、第１〜第４の実施の形態のいずれかと同様に動作する。さらに、下りリンク送信電力決定部４２は、この基地局を所望基地局とするUEのための下りリンク送信電力を決定すると、これらの下りリンク送信電力を示す情報を、基地局間通信部３６を介して、近隣の他の基地局に通知する。下りリンク送信電力決定部４２は、これらの下りリンク送信電力のうち最大の下りリンク送信電力のみを示す情報を近隣の他の基地局に通知してもよい。
【０１１２】
基地局間通信部３６は、近隣の他の基地局から近隣の他の基地局での下りリンク送信に使用する下りリンク送信電力に関する情報を受信する。この情報に基づいて、情報通知部４０は、近隣の他の基地局での下りリンク送信に使用する下りリンク送信電力に関する他基地局電力情報を生成する。情報通知部４０は、他基地局電力情報通知部として機能し、この基地局に接続されたUEに、上位レイヤ信号または制御チャネルによって他基地局電力情報を通知する。第３の実施の形態と類似した形式で、情報通知部４０は、他基地局電力情報として、干渉基地局で使用されているＭＣＳを示す情報を各UEに通知し、各UEは干渉基地局で使用されているＭＣＳから干渉基地局で使用されている下りリンク送信電力を認識してもよい。
【０１１３】
他基地局電力情報を受信したUEでは、ＩＲＣ処理部６６すなわちＳＩＣは、干渉基地局で使用されている下りリンク送信電力を認識し、その下りリンク送信電力に基づいて干渉レプリカを生成し、干渉レプリカを無線信号から減算することにより干渉抑圧を実行する。他の動作は、第１〜第４の実施の形態のいずれかと同様である。
【０１１４】
この実施の形態においては、ユーザ装置のＩＲＣ処理部がＳＩＣであって、干渉基地局がＮＯＭＡを実行する場合において、適切にＳＩＣが動作して、ユーザ装置は所望のデータ信号を復調することが可能である。
【０１１５】
他の変形
基地局およびUEにおいて、ＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【０１１６】
前記の実施の形態および変形は、矛盾しない限り、組み合わせてもよい。
【符号の説明】
【０１１７】
１，２  基地局、１ａ，２ａ  セルエリア、１０，１００，１０１，１０２  UE（ユーザ装置）、３０  制御部、３２  無線信号送信部、３３  送信アンテナ、３４  無線信号受信部、３５  受信アンテナ、３６  基地局間通信部、３８  ＣＱＩ報告処理部、４０  情報通知部、４０  情報通知部（他基地局電力情報通知部）、４２  下りリンク送信電力決定部、５０  制御部、５２  無線信号送信部、５３  送信アンテナ、５４  無線信号受信部、５５  受信アンテナ、６０  受信品質測定部、６１  ＣＱＩ報告部、６２  位置認識部、６４  電力認識部、６６  干渉抑圧合成処理部（ＩＲＣ処理部）、６８  復調部、７０  非直交信号キャンセル部
【図１】
2015039132.tif 000047
【図２】
2015039132.tif 000048
【図３】
2015039132.tif 000049
【図４】
2015039132.tif 000050
【図５】
2015039132.tif 000051
【図６】
2015039132.tif 000052
【図７】
2015039132.tif 000053
【図８】
2015039132.tif 000054
【図９】
2015039132.tif 000055
【図１０】
2015039132.tif 000056
【図１１】
2015039132.tif 000057
【手続補正書】
【提出日】平成26年8月5日(2014.8.5)
【手続補正１】
【補正対象書類名】明細書
【補正対象項目名】００１４
【補正方法】変更
【補正の内容】
【００１４】
以下、添付の図面を参照しながら本発明に係る様々な実施の形態を説明する。
まず、非直交マルチアクセスの概略を説明する。
図１に示すように、基地局１は複数のユーザ装置（user equipment、UE）１００〜１０２と通信する。図１において符号１ａは基地局１のセルエリアを示す。UE１０２は、セルエリア端すなわち最もセルエリア１ａの境界に近い位置にあり、基地局１から最も遠く、パスロスが最も大きい（あるいは受信ＳＩＮＲが最も小さい）。UE１００は、セルエリア１ａの中央付近にあり、基地局１から最も近く、パスロスが最も小さい（あるいは受信ＳＩＮＲが最も大きい）。UE１０１は、UE１０２よりも基地局１に近く、UE１００よりも基地局１から遠い。
【手続補正２】
【補正対象書類名】明細書
【補正対象項目名】００１７
【補正方法】変更
【補正の内容】
【００１７】
各UE１００〜１０２の立場から見れば、最も高い受信電力の信号がUE１０２宛の信号であり、最も低い受信電力の信号がUE１００宛の信号である。各UE１００〜１０２は最も高い受信電力の信号をまず復調する。その復調された信号は最もセルエリア１ａの境界に近い位置にあるUE１０２宛の信号であるから、UE１０２は復調を終了し、その復調された信号を使用する。他の各UE１００，１０１は、受信信号からその復調された信号に相当する干渉成分を干渉キャンセラにより除去し、２番目に高い受信電力の信号を復調する。その復調された信号は２番目にセルエリア１ａの境界に近い位置にあるUE１０１の信号であるから、UE１０１は復調を終了し、その復調された信号を使用する。このように高い受信電力の信号の復調と除去を繰り返すことにより、すべてのUE１００〜１０２はそのUE宛の信号を復調することができる。このように、非直交マルチアクセスでは、UEはそのUEを宛先とする信号を復調するまで、所望基地局１から送信された他のUEを宛先とする信号をキャンセルする。
【手続補正３】
【補正対象書類名】図面
【補正対象項目名】図１
【補正方法】変更
【補正の内容】
【図１】
2015039132.tif 000058
【手続補正４】
【補正対象書類名】図面
【補正対象項目名】図２
【補正方法】変更
【補正の内容】
【図２】
2015039132.tif 000059